(57)【要約】【課題】屋根部が非対称である形状の従来の変形ゲーベルトップカートンを改良したもので、さらに大口径の注出口を取り付けることができ、意匠性が高く、持ちやすく、注ぎ易く、スクリューキャップの着脱の容易なゲーベルトップカートンを提供する。【解決手段】本発明は、４角柱状の胴部を形成する４側壁パネルの前側壁パネルの上辺と後側壁パネルの上辺には高低差が設けられ、高い方の側壁パネルの上辺には、後側屋根パネルが、低い方の前側壁パネルの上辺には前側屋根パネルが連接されたカートンブランクから組み立てられたゲーベルトップカートンであって、カートンを組み立てた時に、トップパネルを境界とする屋根部を非対称とし、後側屋根パネルおよび前側屋根パネルを凸状に膨らんだ面とし、前側屋根パネルの略中央に注出口を設けてなることを構成とするものであり、また、注出口が筒状体とフランジからなる注出口本体にスクリューキャップを組み合わせた注出口組合せ体であることを構成とするものである。【選択図】図２
2009220851.tif 000002
【特許請求の範囲】
【請求項１】
４角柱状の胴部を形成する後側壁パネル１、左側壁パネル２、前側壁パネル３、右側壁パネル４と糊代５が折れ線ａ〜ｄを介して連接され、前記前側壁パネル３の上辺と前記後側壁パネル１の上辺には高低差が設けられ、高い方の前記後側壁パネル１の上辺には、水平な折れ線ｅを介して後側屋根パネル１Ｔが、低い方の前記前側壁パネル３の上辺には水平な折れ線ｇを介して前側屋根パネル３Ｔが連接され、前記左側壁パネル２と前記右側壁パネル４の上辺には、それぞれ２つの折れ線ｅ、ｇの両端を結ぶ２本の斜めの下方に凹んだ円弧状の斜め折れ線ｆ、ｈを介してそれぞれ左折り込み屋根パネル２Ｔと右折り込み屋根パネル４Ｔが連設され、前記後側屋根パネル１Ｔ、前記左折り込み屋根パネル２Ｔ、前記前側屋根パネル３Ｔ、そして前記右折り込み屋根パネル４Ｔの上辺には折れ線ｉ、ｊ、ｋ、ｌを介してそれぞれトップパネル１ＴＰ、２ＴＰ、３ＴＰ、４ＴＰが連設され、左折り込み屋根パネル２Ｔには、内側に折り込むための斜め上方に膨らんだ円弧状の斜め折れ線ｍ、ｎが設けられ、右折り込み屋根パネル４Ｔには、内側に折り込むための斜め上方に膨らんだ円弧状の斜め折れ線ｏ、ｐが設けられたカートンブランクから組み立てられたゲーベルトップカートンであって、カートンを組み立てた時に、前記後側屋根パネル１Tおよび前記前側屋根パネル３Ｔを凸状に膨らんだ面とし、前記前側屋根パネル３Ｔの略中央に注出口を設けてなることを特徴とする変形ゲーベルトップカートン。
【請求項２】
前記注出口が筒状体とフランジからなる注出口本体にスクリューキャップを組み合わせた注出口組合せ体であることを特徴とする請求項１に記載の変形ゲーベルトップカートン。
【発明の詳細な説明】
【技術分野】
【０００１】
本発明は、頭部が切妻屋根型のゲーブルトップ型の液体用紙容器で、大口径の注出口を取り付けることが可能で、意匠性の高い変形ゲーベルトップカートンに関するものである。
【背景技術】
【０００２】
従来より、ゲーブルトップ型の液体用紙容器（ゲーベルトップカートン）が広く使用されている。このゲーベルトップカートンPは、図２−ａに示すように、トップリブが合掌シールされトップシール部を形成し、頭部が切妻形屋根状の液体用紙容器であり、牛乳、ジュース、酒等の液体を収納する容器として使用されている。このゲーベルトップカートンＰは、内容物を充填する前の段階では、筒状に胴貼りし、そして、平らに折り畳まれた状態にして保管、輸送等を行なっている。実際に、内容物を充填する時に、折り畳まれた状態の液体用紙容器を高速充填包装機に供給して、底部を形成し、内容物を充填し、頭部をトップシール部で密封シールしている。
【０００３】
また、従来の屋根部が対称である形状のゲーベルトップカートンと異なる形状のゲーベルトップカートンとして、大口径の注出口を取り付けることができるように、図２−ｂに示すように、前側屋根パネルを後側屋根パネルの面積より大きくした形状の変形ゲーベルトップカートンQも提案されている（例えば、特許文献１に参照。）。
【０００４】
【特許文献１】特許第３２４８５４２号公報
【発明の開示】
【発明が解決しようとする課題】
【０００５】
前述の変形ゲーベルトップカートンでは、屋根部の前側屋根パネルの面積を大きくして、口頚部の内径を大きくした注出口を取り付けることによって、粘性があり半固形物が共存しているような製品を充填した場合においても、注出口の口頚が小さすぎて詰まったり、流れがよい場合でも脈動を起こしたりして注出しにくいという問題を解消できるものであるが、さらに、本発明は、前述の変形ゲーベルトップカートンを改良したもので、さらに大口径の注出口を取り付けることができ、意匠性が高く、持ちやすく、注ぎ易く、スクリューキャップの着脱の容易なゲーベルトップカートンを供給することを目的とするものである。
【課題を解決するための手段】
【０００６】
前記課題を解決するために、本発明による変形ゲーベルトップカートンは、４角柱状の胴部を形成する後側壁パネル１、左側壁パネル２、前側壁パネル３、右側壁パネル４と糊代５が折れ線ａ〜ｄを介して連接され、前記前側壁パネル３の上辺と前記後側壁パネル１の上辺には高低差が設けられ、高い方の前記後側壁パネル１の上辺には、水平な折れ線ｅを介して後側屋根パネル１Ｔが、低い方の前記前側壁パネル３の上辺には水平な折れ線ｇを介して前側屋根パネル３Ｔが連接され、前記左側壁パネル２と前記右側壁パネル４の上辺には、それぞれ２つの折れ線ｅ、ｇの両端を結ぶ２本の斜めの下方に凹んだ円弧状の斜め折れ線ｆ、ｈを介してそれぞれ左折り込み屋根パネル２Ｔと右折り込み屋根パネル４Ｔが連設され、前記後側屋根パネル１Ｔ、前記左折り込み屋根パネル２Ｔ、前記前側屋根パネル３Ｔ、そして前記右折り込み屋根パネル４Ｔの上辺には折れ線ｉ、ｊ、ｋ、ｌを介してそれぞれトップパネル１ＴＰ、２ＴＰ、３ＴＰ、４ＴＰが連設され、左折り込み屋根パネル２Ｔには、内側に折り込むための斜め上方に膨らんだ円弧状の斜め折れ線ｍ、ｎが設けられ、右折り込み屋根パネル４Ｔには、内側に折り込むための斜め上方に膨らんだ円弧状の斜め折れ線ｏ、ｐが設けられたカートンブランクから組み立てられたゲーベルトップカートンであって、カートンを組み立てた時に、前記後側屋根パネル１Tおよび前記前側屋根パネル３Ｔを凸状に膨らんだ面とし、前記前側屋根パネル３Ｔの略中央に注出口を設けてなることを構成とするものである。また、前記注出口が筒状体とフランジからなる注出口本体にスクリューキャップを組み合わせた注出口組合せ体であることを構成とするものである。
【発明の効果】
【０００７】
本発明によれば、屋根部の前側屋根パネルの面積を大きくして、口頚部の内径を大きくした注出口を取り付けることによって、粘性があり半固形物が浮遊している内溶液を詰まることなくスムースに流出させることができ、さらにスクリューキャップも大型化することができ、スクリューキャップの着脱が老人や子供でも容易に行えるようになり、従来の対称な屋根部のゲーベルトップカートンと形状的に差別化が可能となり、容器の形状によるブランドあるいは内容物の識別を容易にすることができることに加えて、非対称である屋根部において、前側屋根パネルおよび後側屋根パネルを凸状に膨らんだ面とすることによって、屋根部の前側屋根パネルの面積をさらに大きくすることができ、口頚部の内径をさらに大きくした注出口を取り付けることが可能となり、注ぎ易く、スクリューキャップの着脱の容易なゲーベルトップカートンとすることができるという効果を有するものである。また、本発明の変形ゲーベルトップカートンは、屋根パネルの下辺は内容物が充填された状態で外側に膨らんだ形状となり、その下を手で持つことにより、手に持ちやすく、落としにくくなるという効果を有するものである。
【発明を実施するための最良の形態】
【０００８】
以下、本発明による変形ゲーベルトップカートンを図面を用いてさらに詳しく説明する。図１は、本発明による変形ゲーベルトップカートンＲのカートンブランク展開図である。本発明に使用するカートンブランク１０は、図１に示すように、４角柱状の胴部を形成する４枚の側壁パネル、すなわち、後側壁パネル１、左側壁パネル２、前側壁パネル３、右側壁パネル４と糊代５が折れ線ａ〜ｄを介して連接され、前側壁パネル３の上辺と後側壁パネル１の上辺には高低差が設けられている。高い方の後側壁パネル１の上辺には、水平な折れ線ｅを介して後側屋根パネル１Ｔが、また、低い方の前側壁パネル３の上辺には水平な折れ線ｇを介して前側屋根パネル３Ｔが連接されており、前記左右側壁パネル２、４の上辺には２つの折れ線ｅ、ｇの両端を結ぶ２本の斜めの折れ線ｆ、ｈを介してそれぞれ左折り込み屋根パネル２Ｔと右折り込み屋根パネル４Ｔが連設されている。この折れ線ｆ、ｈは、直線ではなく、下方に凹んだ円弧状としている。また、後側屋根パネル１Ｔ、左折り込み屋根パネル２Ｔ、前側屋根パネル３Ｔ、そして右折り込み屋根パネル４Ｔの上辺には折れ線ｉ、ｊ、ｋ、ｌを介してそれぞれトップパネル１ＴＰ、２ＴＰ、３ＴＰ、４ＴＰが連設されている。
【０００９】
さらに、左折り込み屋根パネル２Ｔには、内側に折り込むための斜め折れ線ｍ、ｎが設けられ、右折り込み屋根パネル４Ｔには、内側に折り込むための斜め折れ線ｏ、ｐが設けられている。この斜め折れ線ｍ、ｎ、および斜め折れ線ｏ、ｐは、直線ではなく、斜め上方に膨らんだ円弧状としている。このように、折れ線ｆ、ｈと斜め折れ線ｍ、ｎおよび斜め折れ線ｏ、ｐを円弧状にすることによって、カートンブランク１０から本発明による変形ゲーベルトップカートンＲを組み立てた時に、後側屋根パネル１Tおよび前側屋根パネル３Ｔを凸状に膨らんだ面とすることができる。なお、折れ線ｆ、ｈと斜め折れ線ｍ、ｎおよび斜め折れ線ｏ、ｐの形状は円弧状にするが、円弧状の形状としては、Ｒが９７〜９９ｍｍの範囲とすることが好ましい。
【００１０】
後側屋根パネル１Ｔと前側屋根パネル３Ｔは、面積が異なり、広い方の前側屋根パネル３Ｔには、略その中央に注出口を取り付ける打ち抜き孔６が設けられている。この打ち抜き孔６の径は、従来の前側と後側の双方の屋根パネルが同じ面積であるゲーベルトップカートンに較べて大きくすることができ、その分より大きな注出口を取り付けることが可能になる。トップパネル１〜４ＴＰの機能は従来のゲーベルトップカートンの場合と同様に内容液の充填後の屋根部の成形を完結するシール部として機能する。本発明に使用するカートンブランク１０の底部１〜４Ｂは、通常のゲーベルトップカートンと何ら変わらないので説明を省略する。
【００１１】
図２は、本発明による変形ゲーベルトップカートンと従来のゲーベルトップカートンの斜視図である。従来のゲーベルトップカートンＰは、図２（ａ）に示すようなトップパネルに対して前後が対称な切妻型屋根を有するカートンであって一方の屋根パネルに注出口２０が取り付けられている。また、従来の別の変形ゲーベルトップカートンＱは、図２（ｂ）に示すように、変形した屋根部を有している。すなわち、屋根部は前後に非対称であって、前側屋根パネル３Ｔは後側屋根パネル１Ｔに比較して大きな面積を有している。そして、この広い方の前側屋根パネル３Ｔの略中央に注出口２０ｑが取り付けられている。
【００１２】
これに対して、図１で示す一枚のカートンブランク１０を折り畳んで成形される本発明による変形ゲーベルトップカートンＲは、図２（ｃ）に示すように、屋根部は前後に非対称である変形した屋根部を有している従来の変形ゲーベルトップカートンをさらに改良した形状であって、前側屋根パネル３Ｔおよび後側屋根パネル１Ｔを凸状に膨らんだ面としている。このように、前側屋根パネル３Ｔおよび後側屋根パネル１Ｔを凸状に膨らんだ面とすることによって、より広い面積の前側屋根パネル３Ｔおよび後側屋根パネル１Ｔとすることができ、意匠性が高く、注ぎ易く、スクリューキャップの着脱の容易なゲーベルトップカートンとすることができる。また、屋根パネルの下辺は内容物が充填された状態で外側に膨らんだ形状となり、その下を手で持つことにより、手に持ちやすく、落としにくくなる。
【００１３】
つぎに、本発明の液体用紙容器Ｒを製造する方法について説明する。まず、図１に示すような、液体紙容器Ｒを組み立てる前のブランク１０を作製する。このブランク１０を作製する打ち抜き工程において、注出口用孔６を同時に加工する。つぎに、このブランク１０を用いて公知の液体用紙容器用の製函機で一般的な液体用紙容器と同様に製函し、折り畳まれた状態の液体用紙容器を作製する。
【００１４】
そして、内容物の充填メーカーにおいて、この折り畳まれた状態の液体用紙容器を起こして液体用充填機で内容物を充填して液体用紙容器Ｒを作製する。すなわち、まず、糊代５と後側壁パネル１とを貼り合わせた４枚の後側壁パネル１、左側壁パネル２、前側壁パネル３、右側壁パネル４からなる４角柱状に組み立てて、つぎに、フラットな底面４を形成し、そして、内容物を充填した後に、まず、左側壁パネル２、右側壁パネル４の上端に連設された対向する左折り込み屋根パネル２Ｔ、右折り込み屋根パネル４Ｔをそれぞれ円弧状の斜め折れ線ｆ、ｇを介して内側に折り込み、同時に、左折り込み屋根パネル２Ｔに設けられた斜め折れ線ｍ、ｎを内側に折り込み、右折り込み屋根パネル４Ｔに設けられた斜め折れ線ｏ、ｐを内側に折り込み、左折り込み屋根パネル２Ｔ、右折り込み屋根パネル４Ｔの上辺にそれぞれ連接されたトップパネル２ＴＰ、４ＴＰを中央で折り込み、つぎに、残りの後側壁パネル１、前側壁パネル３の上端に連接された対向する後側屋根パネル１Ｔ、前側屋根パネル３Ｔを内側に折り曲げ、後側屋根パネル１Ｔ、前側屋根パネル３Ｔの上辺にそれぞれ連設されたトップパネル１ＴＰ、３ＴＰを、折り込まれたトップパネル２ＴＰ、４ＴＰを挟むようにして合掌シールしてトップシール部を形成し、非対称の屋根部を有する液体用紙容器Ｒを製造する。
【００１５】
また、この工程では、注出口２０の取り付けも行うことができる。この取り付け方法は、一般的な方法で、注出口２０のフランジを液体用紙容器Ｒの注出口用孔６の内面周縁部にヒートシール、インパルスシールなどで接着する。
【００１６】
図３は、本発明による変形ゲーベルトップカートンに使用される注出口の一態様の説明図である。本発明における注出口２０は、筒状体とフランジ７からなる注出口本体ＧにスクリューキャップＣを組み合わせた注出口組合せ体である。図３（ａ）は、スクリューキャップＣの説明図であり、図３（ｂ）は、注出口本体Ｇの説明図である。スクリューキャップＣの内側には雌螺子が切られており、天板の裏面周辺には、リング状のインナーリブＩが設けられており、その外周と注出口本体Ｇの筒状体の先端部（口頚）の内側とがすり合わされて液漏れが防止されている。注出口本体Ｇの底部周辺はフランジ７となっていてカートンブランクへの取り付け用に使用される部分である。この注出口本体ＧにスクリューキャップＣが巻き締められた注出口２０は、フランジ７の表面とカートンブランク１０の打ち抜き孔６の周辺の裏面との間で一般に超音波シール方式によって熱接着されている。注出口本体Ｇの筒状体の外側には雄螺子が切られていて、スクリューキャップＣとの巻き締めを可能としている。また筒状体の底部にはメンブラン９が形成され、それに接続しているプルリング８を引っ張ることによってメンブラン周辺の薄肉部Ｅからメンブラン９は取り除かれて注出口２０は始めて貫通し、内容物を取り出すことができる。
【００１７】
図４は、本発明による変形ゲーベルトップカートンが奏する効果の説明図である。図４（ａ）は、従来のゲーベルトップカートンＰのカートンブランク１０Ｐの注出口が取り付けられる屋根パネル部分の展開図と成形されたゲーベルトップカートンＰの側面図である。これに対して、図４（ｂ）は、従来の変形ゲーベルトップカートンＱのカートンブランク１０Ｑにおける前側屋根パネル３Ｔ部分の展開図と成形された変形ゲーベルトップカートンＱの側面図である。図４（ａ）と図４（ｂ）を比較することによって、取り付け可能な注出口２０ｐ、２０ｑの大きさの数値的な比較ができる。注出口が、そのフランジ７ｐ、７ｑによって屋根パネルに取り付けられる場合の接着領域Ｓｐ、Ｓｑは、斜線によって示されている。また、フランジ７ｑの外径は屋根パネルに関する限りｍａｘで示されている点線まで拡大することができる。内容液の注ぎ易さには種々の要因があるが、決定的要因は、注出口本体Ｇの口頚の内径Ｄ（図３（ｂ）参照）にあることが、これまでの経験から判明している。そして、当然のことながらフランジ７ｑを大きくできれば、口頚の内径Ｄも大きくすることができる。従って、口頚の内径Ｄは、屋根パネルの縦方向の長さＬｐ、Ｌｑによって決まってくる。図４（ａ）と図４（ｂ）とを比較した場合、従来の変形ゲーベルトップカートンＱの屋根パネルの縦方向の長さＬｑ、と従来のゲーベルトップカートンＰの場合のＬｐとの比（Ｌｑ／Ｌｐ）は、前側壁パネル３と後側壁パネル１との高低差ΔＨを広げればさらに大きくなり、より大きな口頚の内径Ｄを有する注出口の取り付けが可能になる。
【００１８】
そして、本発明による変形ゲーベルトップカートンＲは、屋根部は前後に非対称である変形した屋根部を有している従来の変形ゲーベルトップカートンＱをさらに改良した形状であって、図４（ｃ）に示すように、前側屋根パネル３Ｔおよび後側屋根パネル１Ｔを凸状に膨らんだ面としている。このように、前側屋根パネル３Ｔおよび後側屋根パネル１Ｔを凸状に膨らんだ面とすることによって、より広い面積の前側屋根パネル３Ｔおよび後側屋根パネル１Ｔとすることができ、口頚部の内径をさらに大きくした注出口２０を取り付けることが可能となり、注ぎ易く、スクリューキャップの着脱の容易なゲーベルトップカートンとすることができる。また、屋根パネルの下辺は内容物が充填された状態で外側に膨らんだ形状となり、その下を手で持つことにより、手に持ちやすく、落としにくくなる。なお、本発明による変形ゲーベルトップカートンＲがその効果を発揮するのは、注出口２０を取り付ける前側屋根パネル３Ｔの面積が大きくならない内容量が５００ｍｌ以下の場合である。
【００１９】
本発明による変形ゲーベルトップカートンに使用するカートンブランクの仕様は、充填する内容物によって当然変わるが、次のような構成のものが好適に使用される。
印刷インキ層／ポリエチレン３０μｍ／晒クラフト紙（２３０〜３６０ｇ／ｍ2）／ポリエチレン２０μｍ／酸化珪素蒸着ポリエチレンテレフタレートフィルム１２μｍ／低密度ポリエチレン６０μｍ
また、注出口２０は、注出口本体Ｇが、低密度ポリエチレン、スクリューキャップＣがポリプロピレンからなる場合が一般的である。
【００２０】
本発明による変形ゲーベルトップカートンの印刷は、通常のゲーベルトップカートンと全く同様に、グラビア、オフセット、フレキソ等の印刷方式によって表面の熱可塑性樹脂層の上に印刷することができ、美麗なフルカラーの印刷による意匠効果、ディスプレイ効果をも持たせることが可能である。また、同じ容量のガラス壜やプラスチック容器に較べて、パッケージ全体が情報伝達媒体となり得るので、印刷スペースは拡大して、細かな文字でのレーベル印刷の必要がなくなり、消費者に分かりやすい情報伝達が可能になる。さらに、屋根部の変形は、従来のゲーベルトップカートンによる商品との差別化を可能とする。
【実施例】
【００２１】
本発明による変形ゲーベルトップカートンの内容量が約５００ｍｌの実施例サンプルを図１に記入した寸法のカートンブランクで試作した。すなわち、胴部は、６０×６０ｍｍ角とし、前側壁パネル３と後側壁パネル１との高低差を２２ｍｍとし、前側屋根パネル３Ｔの幅と長さをそれぞれ６０．２ｍｍ、４６．３ｍｍとし、さらに、この前側屋根パネルに、２５ｍｍφの打ち抜き孔６を設け、その周辺に口頚の内径が２１ｍｍφの注出口２０を超音波シール方式によって取り付けた。なお、次の積層構成を有するカートンブランク１０を使用した。
印刷インキ層／ポリエチレン２０μｍ／晒クラフト紙（３８５ｇ／ｍ2）／ポリエチレン２０μｍ／酸化珪素蒸着ポリエチレンテレフタレートフィルム１２μｍ／低密度ポリエチレン６０μｍ
サンプルに焼肉のタレを充填し、強度テストを行った結果、詰まることもなく脈動も少なく、スムースに流出させることができ、スクリューキャップの着脱も楽であり、老人、子供にとっても容易に開封、再封が可能であった。
【産業上の利用可能性】
【００２２】
本発明は、頭部が切妻屋根型のゲーブルトップ型の液体用紙容器で、特に、粘性があり半固形物が共存しているような製品を充填する液体用紙容器、そして、外箱に集積包装されて販売されるカートンに利用される液体用紙容器として使用することができる。特に、内容量が５００ｍｌ以下のゲーブルトップ型の液体用紙容器に好適に使用することができる。
【図面の簡単な説明】
【００２３】
【図１】本発明による変形ゲーベルトップカートンのカートンブランク展開図である。
【図２】本発明による変形ゲーベルトップカートンと従来のゲーベルトップカートンの斜視図である。
【図３】本発明による変形ゲーベルトップカートンに使用される注出口の一態様の説明図である。
【図４】本発明による変形ゲーベルトップカートンが奏する効果の説明図である。
【符号の説明】
【００２４】
Ｒ        本発明による変形ゲーベルトップカートン
Ｐ        従来のゲーベルトップカートン
Ｑ        従来の別のゲーベルトップカートン
１        後側壁パネル
２        左側壁パネル
３        前側壁パネル
４        右側壁パネル
５        糊代
６        打ち抜き孔
７        フランジ
８        プルリング
９        メンブラン
１０        カートンブランク（本発明による変形ゲーベルトップカートン）
１０Ｐ      カートンブランク（従来のゲーベルトップカートン）
１０Ｑ      カートンブランク（従来の変形ゲーベルトップカートン）
２０        注出口（本発明による変形ゲーベルトップカートン）
２０Ｐ      注出口（従来のゲーベルトップカートン）
２０Ｑ      注出口（従来の変形ゲーベルトップカートン）
１Ｔ        後側屋根パネル
３Ｔ        前側屋根パネル
２Ｔ        左折り込み屋根パネル
４Ｔ        右折り込み屋根パネル
１〜４ＴＰ  トップパネル
１〜４Ｂ    底部パネル
ａ〜ｅ      折れ線
ｇ          折れ線
ｆ、ｈ      斜め折れ線
ｉ〜ｌ      折れ線
ｍ〜ｐ      斜め折れ線
Ｃ        スクリューキャップ
Ｇ        注出口本体
Ｉ        インナーリブ
Ｓ        熱接着領域
Ｅ        メンブランの薄肉部
Ｄ        注出口本体Ｇの口頚の内径
Ｌ        屋根パネルの縦方向の長さ
【図１】
2009220851.tif 000003
【図２】
2009220851.tif 000004
【図３】
2009220851.tif 000005
【図４】
2009220851.tif 000006